【手続補正書】
【提出日】平成18年2月13日(2006.2.13)
【手続補正１】
【補正対象書類名】明細書
【補正対象項目名】特許請求の範囲
【補正方法】変更
【補正の内容】
【特許請求の範囲】
【請求項１】  蛍光灯に動作デューティーサイクル及び動作周波数を持った、少なくとも１つの制御可能な伝導性の素子からアーク電流を供給するための使用に対して構成された蛍光灯のための電子的に減光する安定器（５）であって、前記少なくとも１つの制御可能な伝導性の素子（Ｑ６，Ｑ７）の前記動作デューティーサイクル及び動作周波数が前記蛍光灯の最小から最大までの光の出力範囲にわたって光の出力を調節するために独立に制御可能である安定器（５）。
【請求項２】  蛍光灯のための電子的に減光する安定器であって：
所望の光量のレベルを表す情報を含む減光信号に応答し、前記減光信号によって決定される周波数を持った交流発振機信号を生成する第１回路（２０３，２０５）；及び、
前記交流発振機信号の周波数で、前記少なくとも１つの制御可能な伝導性の素子のために前記減光信号によって決定されるデューティーサイクルを生成するために前記減光信号に応答する第２回路（２０９）を備え、
前記少なくとも１つの制御可能な伝導性の素子の動作デューティーサイクル及び動作周波数が前記蛍光灯の所望の光量のレベルの範囲にわたって独立に決定可能である、請求項１に記載の蛍光灯のための電子的に減光する安定器。
【請求項３】  蛍光灯のための電子的に減光する安定器であって：
所望の光量のレベルを表す情報を含む減光信号を受信し、所望の光のレベルを表す制御信号を生成するための第１回路（２０３）；
前記制御信号によって決められる周波数を持った交流発振機信号を生成するために前記制御信号に応答する第２回路（２０５）；及び、
前記交流発振機信号の周波数で、前記少なくとも１つの制御可能な伝導性の素子のために前記制御信号によって決定されるデューティーサイクルを生成するために前記制御信号に応答する第３回路（２０９）を備え、
前記少なくとも１つの制御可能な伝導性の素子の動作デューティーサイクル及び動作周波数が最小の光量から最大の光量までの所望の光のレベルの範囲にわたって独立に決定可能である、請求項１に記載の蛍光灯のための電子的に減光する安定器。
【請求項４】  前記少なくとも１つの制御可能な伝導性の装置の動作デューティーサイクルが最小の光量から最大の光量までの所望の光のレベルの範囲にわたって可変であり、前記少なくとも１つの制御可能な伝導性の装置の動作周波数が最小の光量から最小の光量と最大の光量との間の中間の光量までの所望の光のレベルの範囲にわたって可変であり、前記中間の光量から最大の光量までの所望の光のレベルの範囲にわたって実質的に一定である、請求項３に記載の蛍光灯のための電子的に減光する安定器。
【請求項５】  前記少なくとも１つの制御可能な伝導性の装置の動作デューティーサイクルが最小の光量から最大の光量までの所望の光のレベルの範囲にわたって可変であり、前記少なくとも１つの制御可能な伝導性の装置の動作周波数が最小の光量から最小の光量と最大の光量との間の中間の光量までの所望の光のレベルの範囲にわたって実質的に一定であり、前記中間の光量より上の所望の光のレベルの範囲にわたって可変である、請求項３に記載の蛍光灯のための電子的に減光する安定器。
【請求項６】  前記少なくとも１つの制御可能な伝導性の装置の動作デューティーサイクルが最小の光量から最大の光量までの所望の光のレベルの範囲にわたって可変であり、前記少なくとも１つの制御可能な伝導性の装置の動作周波数が最小の光量から最小の光量と最大の光量との間の第１光量までの所望の光のレベルの範囲にわたって実質的に一定であり、前記第１光量から前記第１光量と最大の光量との間の第２光量までの所望の光のレベルの範囲にわたって可変であり、さらに、前記第２光量から最大の光量までの所望の光のレベルの範囲にわたって実質的に一定である、請求項３に記載の蛍光灯のための電子的に減光する安定器。
【請求項７】  蛍光灯のための電子的に減光する安定器であって：
可変のデューティーサイクルを持った減光信号を受信し、前記減光信号の前記デューティーサイクルを表す制御信号を生成するための第１回路（２０３）；
前記制御信号によって決められる周波数を持った交流発振機信号を生成するために前記制御信号に応答する第２回路（２０５）；及び、
前記交流発振機信号の周波数で、前記少なくとも１つの制御可能な伝導性の素子のために前記制御信号によって決定される動作デューティーサイクルを生成するために前記制御信号に応答する第３回路（２０９）を備え、
前記少なくとも１つの制御可能な伝導性の素子の動作デューティーサイクル及び動作周波数が最小の光量から最大の光量までの所望の光のレベルの範囲にわたって独立に決定可能である安定器。
【請求項８】  前記少なくとも１つの制御可能な伝導性の装置の動作デューティーサイクルが最小の光量から最大の光量までに対応する減光信号のデューティーサイクルの範囲にわたって可変であり、前記少なくとも１つの制御可能な伝導性の装置の動作周波数が最小の光量から最小の光量と最大の光量との間の中間の光量までに対応する減光信号のデューティーサイクルの範囲にわたって可変であり、前記中間の光量から最大の光量までに対応する減光信号のデューティーサイクルの範囲にわたって実質的に一定である、請求項７に記載の蛍光灯のための電子的に減光する安定器。
【請求項９】  前記少なくとも１つの制御可能な伝導性の装置の動作デューティーサイクルが最小の光量から最大の光量までに対応する減光信号のデューティーサイクルの範囲にわたって可変であり、前記少なくとも１つの制御可能な伝導性の装置の動作周波数が最小の光量から最小の光量と最大の光量との間の中間の光量までに対応する減光信号のデューティーサイクルの範囲にわたって実質的に一定であり、前記中間の光量に対応するものより上の減光信号のデューティーサイクルの範囲にわたって可変である、請求項７に記載の蛍光灯のための電子的に減光する安定器。
【請求項１０】  前記少なくとも１つの制御可能な伝導性の装置の動作デューティーサイクルが最小の光量から最大の光量までに対応する減光信号のデューティーサイクルの範囲にわたって可変であり、前記少なくとも１つの制御可能な伝導性の装置の動作周波数が最小の光量から最小の光量と最大の光量との間の第１光量までに対応する減光信号のデューティーサイクルの範囲にわたって実質的に一定であり、前記第１光量から前記第１光量と最大の光量との間の第２光量までに対応する減光信号のデューティーサイクルの範囲にわたって可変であり、さらに、前記第２光量から最大の光量までに対応する減光信号のデューティーサイクルの範囲にわたって実質的に一定である、請求項７に記載の蛍光灯のための電子的に減光する安定器。
【請求項１１】  蛍光灯（７）の光量を選択的に制御するための減光回路であって、
前記蛍光灯の最小の光量から最大の光量までの範囲にわたる所望の光量のレベルを達成するために前記蛍光灯に選択されたアーク電流を供給するための、少なくとも１つの制御可能な伝導性の素子（Ｑ６，Ｑ７）を備えるインバーター回路を備え、
蛍光灯の最小の光量から蛍光灯の最大の光量までの範囲で前記蛍光灯の特定の光量を表す減光信号を生成するための減光制御回路（２０３）；
前記制御信号によって決められる周波数を持った交流発振機信号を生成するために前記制御信号に応答する第２回路（２０５）；及び、
前記交流発振機信号の周波数で、前記少なくとも１つの制御可能な伝導性の素子のために前記制御信号によって決定されるデューティーサイクルを生成するために前記制御信号に応答する第３回路（２０９）をさらに備え、
前記少なくとも１つの制御可能な伝導性の素子の動作デューティーサイクル及び動作周波数が前記蛍光灯の最小の光量から最大の光量までの特定の光量に対し独立に決定可能である減光回路。
【請求項１２】  前記少なくとも１つの制御可能な伝導性の装置の動作デューティーサイクルが最小の光量から最大の光量までの特定の光量に対し可変であり、前記少なくとも１つの制御可能な伝導性の装置の動作周波数が最小の光量から最小の光量と最大の光量との間の中間の光量までの特定の光量に対し可変であり、前記中間の光量から最大の光量までの特定の光量に対し実質的に一定である、請求項１１に記載の蛍光灯の光量を選択的に制御するための減光回路。
【請求項１３】  前記少なくとも１つの制御可能な伝導性の装置の動作デューティーサイクルが最小の光量から最大の光量までの特定の光量に対し可変であり、前記少なくとも１つの制御可能な伝導性の装置の動作周波数が最小の光量から最小の光量と最大の光量との間の中間の光量までの特定の光量に対し実質的に一定であり、前記中間の光量より上の範囲の特定の光量に対し可変である、請求項１１に記載の蛍光灯の光量を選択的に制御するための減光回路。
【請求項１４】  前記少なくとも１つの制御可能な伝導性の装置の動作デューティーサイクルが最小の光量から最大の光量までの特定の光量に対して可変であり、前記少なくとも１つの制御可能な伝導性の装置の動作周波数が最小の光量から最小の光量と最大の光量との間の第１光量までの特定の光量に対して実質的に一定であり、前記第１光量から前記第１光量と最大の光量との間の第２光量までの特定の光量に対して可変であり、さらに、前記第２光量から最大の光量までの特定の光量に対して実質的に一定である、請求項１１に記載の蛍光灯の光量を選択的に制御するための減光回路。
【請求項１５】  蛍光灯の光量を選択的に制御するための減光回路であって：
蛍光灯の最小の光量に対応する最小のデューティーサイクルから蛍光灯の最大の光量に対応する最大のデューティーサイクルまでのデューティーサイクルの範囲にわたって可変なデューティーサイクルの減光信号を生成するための減光制御回路；
前記可変なデューティーサイクルの減光信号を受信し、減光信号のデューティーサイクルを表す制御信号を生成するための第１回路；
前記制御信号によって決められる周波数を持った交流発振機信号（ac oscillator signal）を生成するために前記制御信号に応答する第２回路；及び、
前記交流発振機信号の周波数で、前記少なくとも１つの制御可能な伝導性の素子のために前記制御信号によって決定される動作デューティーサイクルを生成するために前記制御信号に応答する第３回路を備え、
前記少なくとも１つの制御可能な伝導性の素子の動作デューティーサイクル及び動作周波数が前記蛍光灯の最小の光量から最大の光量までの光量の範囲にわたって独立に決定可能であることを特徴とする請求項１１に記載の減光回路。
【請求項１６】  前記少なくとも１つの制御可能な伝導性の装置の動作デューティーサイクルが最小の光量から最大の光量までに対応する減光信号のデューティーサイクルの範囲にわたって可変であり、前記少なくとも１つの制御可能な伝導性の装置の動作周波数が最小の光量から最小の光量と最大の光量との間の中間の光量までに対応する減光信号のデューティーサイクルの範囲にわたって可変であり、前記中間の光量から最大の光量までに対応する減光信号のデューティーサイクルの範囲にわたって実質的に一定である、請求項１５に記載の蛍光灯の光量を選択的に制御するための減光回路。
【請求項１７】  前記少なくとも１つの制御可能な伝導性の装置の動作デューティーサイクルが最小の光量から最大の光量までに対応する減光信号のデューティーサイクルの範囲にわたって可変であり、前記少なくとも１つの制御可能な伝導性の装置の動作周波数が最小の光量から最小の光量と最大の光量との間の中間の光量までに対応する減光信号のデューティーサイクルの範囲にわたって実質的に一定であり、前記中間の光量より上の光量に対応する減光信号のデューティーサイクルの範囲にわたって可変である、請求項１５に記載の蛍光灯の光量を選択的に制御するための減光回路。
【請求項１８】  前記少なくとも１つの制御可能な伝導性の装置の動作デューティーサイクルが最小の光量から最大の光量までに対応する減光信号のデューティーサイクルの範囲にわたって可変であり、前記少なくとも１つの制御可能な伝導性の装置の動作周波数が最小の光量から最小の光量と最大の光量との間の第１光量までに対応する減光信号のデューティーサイクルの範囲にわたって実質的に一定であり、前記第１光量から前記第１光量と最大の光量との間の第２光量までに対応する減光信号のデューティーサイクルの範囲にわたって可変であり、さらに、前記第２光量から最大の光量までに対応する減光信号のデューティーサイクルの範囲にわたって実質的に一定である、請求項１５に記載の蛍光灯の光量を選択的に制御するための減光回路。
【請求項１９】  蛍光灯の最小の光量から最大の光量までの範囲にわたる所望の光量のレベルを達成するために前記蛍光灯に選択されたアーク電流を供給するための、少なくとも１つの制御可能な伝導性の素子を持ったインバーター回路を使用して、前記蛍光灯の光量を選択的に制御するための方法であって：
前記蛍光灯の最小の光量に対応する状態から前記蛍光灯の最大の光量に対応する状態まで変化する減光信号を生成すること；
前記減光信号に対応する制御信号を生成すること；
前記制御信号によって決められる周波数を持った交流発振機信号を生成すること；及び、
前記交流発振機信号の周波数で、前記少なくとも１つの制御可能な伝導性の素子のために前記制御信号によって決定される動作デューティーサイクルを生成することのステップを含み、
前記少なくとも１つの制御可能な伝導性の素子の動作デューティーサイクル及び動作周波数が最小の光量に対応する状態から最大の光量まで変化する前記減光信号の範囲にわたって独立に決定可能である方法。
【請求項２０】  前記交流発振機信号を生成することのステップが、最小の光量から最小の光量と最大の光量との間の中間の光量までに対応する前記減光信号の状態に対し前記交流発振機信号の周波数を変化させること、及び、前記中間の光量から最大の光量までに対応する前記減光信号の状態に対し前記周波数を実質的に一定に保持することを含む、請求項１９に記載の蛍光灯の光量を選択的に制御するための方法。
【請求項２１】  前記交流発振機信号を生成することのステップが、最小の光量から最小の光量と最大の光量との間の中間の光量までに対応する前記減光信号の状態に対し前記交流発振機信号の周波数を実質的に一定に保持すること、及び、前記中間の光量より上の光量の範囲に対応する前記減光信号の状態に対し前記周波数を変化することを含む、請求項１９に記載の蛍光灯の光量を選択的に制御するための方法。
【請求項２２】  前記交流発振機信号を生成することのステップが、最小の光量から最小の光量と最大の光量との間の第１光量までに対応する前記減光信号の状態に対し前記交流発振機信号の周波数を実質的に一定に保持すること、前記第１光量から前記第１光量と最大の光量との間の第２光量までに対応する前記減光信号の状態に対し前記周波数を変化させること、及び、前記第２光量から最大の光量までに対応する前記減光信号の状態に対し前記周波数を実質的に一定に保持することを含む、請求項１９に記載の蛍光灯の光量を選択的に制御するための方法。
【請求項２３】  蛍光灯の光量を選択的に制御するための方法であって、
前記減光信号のデューティーサイクルが前記蛍光灯の最小の光量に対応する最小のデューティーサイクルから前記蛍光灯の最大の光量に対応する最大のデューティーサイクルまでのデューティーサイクルの範囲にわたって可変である、請求項１９に記載の蛍光灯の光量を選択的に制御するための方法。
【請求項２４】  前記交流発振機信号を生成することのステップが、最小の光量から最小の光量と最大の光量との間の中間の光量までに対応する前記減光信号のデューティーサイクルの範囲にわたって前記交流発振機信号の周波数を変化させること、及び、前記中間の光量から最大の光量までに対応する前記減光信号のデューティーサイクルの範囲にわたって前記周波数を実質的に一定に保持することを含む、請求項２３に記載の蛍光灯の光量を選択的に制御するための方法。
【請求項２５】  前記交流発振機信号を生成することのステップが、最小の光量から最小の光量と最大の光量との間の中間の光量までに対応する前記減光信号のデューティーサイクルの範囲にわたって前記交流発振機信号の周波数を実質的に一定に保持すること、及び、前記中間の光量より上の前記減光信号のデューティーサイクルの範囲にわたって前記周波数を変化させることを含む、請求項２３に記載の蛍光灯の光量を選択的に制御するための方法。
【請求項２６】  前記交流発振機信号を生成することのステップが、最小の光量から最小の光量と最大の光量との間の第１光量までに対応する前記減光信号のデューティーサイクルの範囲にわたって前記交流発振機信号の周波数を実質的に一定に保持すること、前記第１光量から前記第１光量と最大の光量との間の第２光量までに対応する前記減光信号のデューティーサイクルの範囲にわたって前記周波数を変化させること、及び、前記第２光量から最大の光量に対応する前記減光信号のデューティーサイクルの範囲にわたって前記周波数を実質的に一定に保持することを含む、請求項２３に記載の蛍光灯の光量を選択的に制御するための方法。
【手続補正２】
【補正対象書類名】明細書
【補正対象項目名】０００１
【補正方法】変更
【補正の内容】
【０００１】
（発明の背景）
減光した（または、薄暗く光る）蛍光灯は、低い光のレベルで安定した動作を保障するために最小量の出力インピーダンスを必要とする。これは、ランプの光量を調節するためにインバーターの出力に共振回路を使用し、さらに、インバーターの波形のデューティーサイクルを調節することによって達成されることが知られている。これは比較的小さい負性のインクリメンタルインピーダンス（negative incremental impedance）を持ち、それにより、光の出力量（以下、単に光量と呼ぶ）を最大から低いレベルへ減少させたときに、ランプのインピーダンスが適当に増大する直線状の蛍光灯に対しては非常に効果がある。このような状況において、インクリメンタルインピーダンスが特定のアーク電圧でのアーク電流の変化によって起こるアーク電圧の変化であるのに対し、ランプのインピーダンスはアーク電流に対するアーク電圧の比として定義される。負性のインクリメンタルインピーダンスの存在は全ての蛍光灯の特徴であり、アーク電流の増大がその結果としてアーク電圧の降下を引き起こす。